(57)【要約】      （修正有）【課題】パレット上のコンテナケース内の貨物の荷崩れを簡単・確実に防止でき、作業性もよい、ネットを備えた搬送用コンテナのネット固定具を提供する。【解決手段】搬送用パレット２上に固定され、組み立て式搬送用コンテナケース１に装着し、ケース内部に積層した貨物Ｘの荷崩れを防止するためのネットを備えた搬送用コンテナにおけるネット固定具において、パレット２の上面外周付近に、ケースの側板１ａを載置する固定具用の枠体５を設け、枠体には複数本の縦枠５ａと、縦枠の必要箇所に、適宜な幅の切り欠き部を１又は複数個構成し、各切り欠き部には、ネット周囲から伸びるベルト、ロープ等の固定部材をそれぞれ緊締・固定し、且つ、隣の縦枠と連結する連結杆５ｂを設けた。【選択図】図４
0003203220.tif 000002
【実用新案登録請求の範囲】
【請求項１】
搬送用パレット上に固定され、組み立て式搬送用コンテナケース（１）に装着し、該ケース内部に積層した貨物（Ｘ）の荷崩れを防止するためのネット（３）を備えた搬送用コンテナにおけるネット固定具において、
前記パレット（２）の上面外周付近に、前記ケース（１）の側板（１ａ）を載置する固定具用の枠体（５）を設け、
該枠体（５）には複数本の縦枠（５ａ）と、該縦枠の必要箇所に、適宜な幅の切り欠き部（６）を１又は複数個から構成され、
前記各切り欠き部（６）には、前記ネット（３）周囲から伸びるベルト、ロープ等の固定部材（４）をそれぞれ緊締・固定し、且つ、隣の縦枠（５ａ）と連結する連結杆（５ｂ）を設けた
ことを特徴とするネットを備えた搬送用コンテナにおけるネット固定具。
【請求項２】
前記連結杆（５ｂ）は、前記縦枠（５ａ）間に設けた切り欠き部（６）であって、前記  縦枠（５ａ）に連結して設けた
ことを特徴とする請求項１記載のネットを備えた搬送用コンテナにおけるネット固定具。
【考案の詳細な説明】
【技術分野】
【０００１】
この考案は、ネットを備えた搬送用コンテナにおけるネット固定具に関するものである。
【背景技術】
【０００２】
従来、陸路では貨物自動車・列車等で、水路ではコンテナ船、空路では航空貨物等でそれぞれ貨物を搬送しており、これらの貨物は、パレットと一体に構成される搬送コンテナが使用され、該コンテナ内に貨物を積層して入れ搬送している。
【０００３】
しかし、コンテナ内で貨物が隙間があるように搭載された場合、搬送中にコンテナ内を移動してしまい、場合によっては貨物の転倒により破損・損壊する恐れがあった。
【０００４】
そこで、搬送中、コンテナ内に貨物が移動しても荷崩れしないようにストレッチフィルムやベルト等で貨物を縛り付けることを行なっているが、作業性が極めて悪かった。
【０００５】
また、パレット上の積載物を覆うようにネットを掛け、荷崩れ防止ネットは存在する。例えば、特許文献１のように。
【先行技術文献】
【特許文献】
【０００６】
【特許文献１】実用新案登録第３１３５１２４号公報
【０００７】
しかし、この技術は、パレット上の積載物に対して、ネット外周縁に金属製のロープを重りとして用いるものであり、航空便に搭載する際には重量が増し、思わしくなく、さらに、貨物が少量の場合には、ネットの中間部に設けたロープで縛ることにより荷崩れを防止するものであり、その作業も煩雑であった。
【考案の概要】
【考案が解決しようとする課題】
【０００８】
そこで、この考案の課題は、搬送用パレット上の搬送用コンテナケース内の貨物をネットを固定するためのネット固定具を設けることにより、簡単・確実に荷崩れ防止ができ、その作業性もよいネットを備えた搬送用コンテナにおけるネット固定具を開発・提供することにある。
【課題を解決するための手段】
【０００９】
この考案のネットを備えた搬送用コンテナにおけるネット固定具は、
搬送用パレット上に固定され、組み立て式搬送用コンテナケースに装着し、該ケース内部に積層した貨物の荷崩れを防止するためのネットを備えた搬送用コンテナにおけるネット固定具において、
前記パレットの上面外周付近に、前記ケースの側板を載置する固定具用の枠体を設け、  該枠体には複数本の縦枠と、該縦枠の必要箇所に、適宜な幅の切り欠き部を１又は複数個から構成され、
前記各切り欠き部には、前記ネット周囲から伸びるベルト、ロープ等の固定部材をそれぞれ緊締・固定し、且つ、隣の縦枠と連結する連結杆を設けた
ことを特徴とする。
【００１０】
また、
前記連結杆は、前記縦枠間に設けた切り欠き部であって、前記縦枠（５ａ）に連結して設けた
ことを特徴とする。
【考案の効果】
【００１１】
この考案によると、コンテナのケース（１）内の貨物（Ｘ）にネット（３）を被せ、該ネットの周囲に設けたベルト、ロープ等の固定部材（４）を、前記枠体（５）の切り欠き部（６）の連結杆（５ｂ）に係止して緊締・固定するため、該ケース内で貨物の移動がなく、確実に固定される結果、荷崩れを生じないとの効果を奏する。
【００１２】
また、前記枠体（４）は、搬送用コンテナのケース（１）の側板（１ａ）を載置するよう設けたことにより、ケース内部に積載された貨物（Ｘ）は、前記ケース（１）内いっぱいに積載することができ、積載する床面が連結杆（５ｂ）によって制限されることがない等の効果を有する。
【００１３】
さらに、ネットから延びる固定部材（４）を固定する前記枠体（５）は、各切り欠き部（６）に、それぞれ連結杆（５ｂ）を一体に連結して設けることにより、パレット（２）への設置作業が迅速に出来、また、連結杆（５ｂ）は切り欠き部（６）の横幅いっぱいに設けることにより、例え、前記固定部材（４）が幅広であっても対応が可能であり、また、ケース（１）の外部からでも、固定部材（４）が連結杆（５ｂ）に固定されていることが視認できる等の効果を奏する。
【図面の簡単な説明】
【００１４】
【図１】この考案の使用状態の一実施例を示し、（Ａ）は一部欠截正面図であり、（Ｂ）は一部欠截平面図である。
【図２】この考案の使用状態の一実施例を示す一部欠截正面図である。
【図３】この考案の使用状態の一実施例を示し、ケースを取り外した状態の斜視図である。
【図４】この考案の使用状態の一実施例を示し、ケースを装着した状態の斜視図である。
【図５】この考案に使用する連結杆の他の一実施例を示す一部欠截斜視図である。
【考案を実施するための形態】
【００１５】
以下、この考案について詳細に説明する。尚、この考案においては、以下の記述に限定されるものではなく、この発明の要旨を逸脱しない範囲においては適宜変更可能である。
【実施例】
【００１６】
先ず、この考案の一実施例を図面に基づいて詳述すると、搬送用パレット上に固定され、組み立て式搬送用コンテナケース（１）に装着し、該ケース内部に積層した貨物（Ｘ）の荷崩れを防止するためのネット（３）を備えた搬送用コンテナにおけるネット固定具において、前記パレット（２）の上面外周付近に、前記ケース（１）の側板（１ａ）を載置する固定具用の枠体（５）を設け、該枠体（５）には複数本の縦枠（５ａ）と、該縦枠の必要箇所に、適宜な幅の切り欠き部（６）を１又は複数個形成したものから構成され、前記各切り欠き部（６）には、前記ネット（３）周囲から伸びるベルト、ロープ等の固定部材（４）をそれぞれ緊締・固定し、且つ、隣の縦枠（５ａ）と連結する連結杆（５ｂ）を設けたことを特徴とするネットを備えた搬送用コンテナにおけるネット固定具から構成される。
【００１７】
また、前記連結杆（５ｂ）は、前記縦枠（５ａ）間に設けた切り欠き部（６）であって、前記  縦枠（５ａ）に連結して設けたことを特徴とするネットを備えた搬送用コンテナにおけるネット固定具である。
【００１８】
尚、組み立て式搬送用コンテナのケース（１）とは、搬送用パレット（２）の上に設置されており、貨物（Ｘ）の搬送時に組み立てられ、不要の際にはコンパクトに折り畳んで前記パレット（２）と共に保管・格納しておくよう構成されたものである。
【００１９】
さらに、前記ネット（３）の大きさは、貨物（Ｘ）全体を取り囲む程の大きさの必要はなく、前記ケース（１）本体の上面の面積と同程度の大きさであればよく、前記固定部材（４）を用いて固定すればよい。
【００２０】
このように、前記ネット（３）の大きさが、ケース（１）本体の上面の面積程度であればよく、前記ネット（３）は伸張性があるため、ケース内に収納した貨物（Ｘ）の上面に被せて、前記ネット（３）の周囲を均等に引っ張り固定部材（４）に緊締して固定するものである。
【００２１】
さらに、前記ネット（３）の素材の一例を述べると、天然あるいは合成樹脂製のロープで格子状に編んだものであり、伸張性があり、固定部材（４）を介して搬送用パレット（２）に緊締できるよう構成するものである。なお、前記ネット（３）に設けた固定部材（４）は、前記のようにベルト、ロープ等の素材であり、先端部を前記連結杆（５ｂ）に縛りつけてもよく、また、該固定部材（４）の先端部にフックを設け、該フックで固定するよう構成してもよい。
【００２２】
また、枠体（５）は、複数本の縦枠（５ａ）と、該縦枠の必要箇所に、適宜な幅の切り欠き部（６）と、連結杆（５ｂ）から構成されており、各縦枠（５ａ）は、各連結杆（５ｂ）でそれぞれ一体に連結されているため、この一体の枠体（５）を前記パレット（２）上に、ロ字状、あるいはコ字状に並べて構成しても簡単に配置・固定ができるものである。
【００２３】
なお、連結杆（５ｂ）は、図１〜４に示した棒状であって、その断面形状が円形、四角形、六角形等の棒状体であってもよく、また、図５に示したように、その断面形状が縦長の長方形の連結杆（５ｂ）であってもよく、これら連結杆は縦枠（５ａ）と一体に形成してもよく、また、縦枠（５ａ）と連結杆（５ｂ）はそれぞれ別部品であって構成し、これらを連結して構成してもよいものである。
【産業上の利用可能性】
【００２４】
この考案のネットを備えた搬送用コンテナにおけるネット固定具の技術を確立し、実施することにより、産業上利用できるものである。
【符号の説明】
【００２５】
１  コンテナケース
１ａ  側板
２  パレット
３  ネット
４  固定部材
５  枠体
５ａ  縦枠
５ｂ  連結杆
６  切り欠き部
Ｘ  貨物
【図１】
0003203220.tif 000003
【図２】
0003203220.tif 000004
【図３】
0003203220.tif 000005
【図４】
0003203220.tif 000006
【図５】
0003203220.tif 000007